(57)【要約】【課題】用紙を加熱する加熱部を備え、かつ用紙の温度を検出する温度検出部を備えることなく、用紙の温度を推定する。【解決手段】給紙カセット４６１ａ，４６１ｂ，４６１ｃ、及び給紙装置１０に収納される用紙を加熱する保温ヒータ６１２ａ，６１２ｂ，６１２ｃ，１３と、機内温度を検出する機内温度検出部８２と、機外温度検出部８１と、自機の電源が投入されたとき、機内温度と機外温度との差である内外温度差が、実質的にゼロの場合、用紙の温度は機外温度又は機内温度に等しいものと推定し、当該内外温度差が、実質的にゼロではない場合、機外温度に第１加算値Ａを加算することにより、前記用紙の温度を推定する温度推定部１０６とを備えた。【選択図】図２
2011232616.tif 000002
【特許請求の範囲】
【請求項１】
用紙を収納する用紙収納部と、
前記用紙収納部に収納される用紙を加熱する加熱部と、
前記用紙に画像を形成する画像形成部と、
前記画像形成部を収容する筐体内の温度である機内温度を検出する機内温度検出部と、
前記筐体の外部の温度である機外温度を検出する機外温度検出部と、
自機の電源が投入されたとき、前記機内温度検出部により検出される機内温度と前記機外温度検出部により検出される機外温度との差である内外温度差が、ゼロを判定するために予め設定された判定値に満たない場合、前記用紙収納部に収納されている用紙の温度は前記機外温度又は前記機内温度に等しいものと推定し、当該内外温度差が、前記判定値を超える場合、前記機外温度に所定の第１加算値を加算することにより、前記用紙収納部に収納されている用紙の温度を推定する温度推定部と
を備えることを特徴とする画像形成装置。
【請求項２】
前記温度推定部は、
前記内外温度差が大きいほど、前記第１加算値が大きくなるように、当該第１加算値を設定すること
を特徴とする請求項１記載の画像形成装置。
【請求項３】
前記加熱部による前記用紙の加熱が開始された後の経過時間を計時する計時部をさらに備え、
前記温度推定部は、
前記計時部によって計時された経過時間が、前記加熱部により加熱された用紙の温度が定常状態になるのに必要な時間として設定された定常時間以上になったとき、前記用紙の温度を、前記初期温度に所定の第２加算値を加算することによって推定し、かつ予め前記第２加算値の上限値として設定された値を、前記第２加算値として設定すること
を特徴とする請求項１又は２記載の画像形成装置。
【請求項４】
前記加熱部による前記用紙の加熱が開始された後の経過時間を計時する計時部をさらに備え、
前記温度推定部は、
前記自機の電源が投入されたときに推定された用紙の温度を初期温度とし、
現時点における前記用紙の温度を、前記初期温度に第２加算値を加算することによって推定し、かつ予め設定された定常時間に満たない範囲で前記計時部によって計時された経過時間が長くなるほど、値が大きくなるように前記第２加算値を設定すること
を特徴とする請求項１〜３のいずれか１項に記載の画像形成装置。
【請求項５】
前記用紙収納部に収納されている用紙の残量を検出する用紙残量検出部をさらに備え、
前記温度推定部は、
さらに、前記用紙残量検出部によって検出される残量が多いほど、前記第２加算値の値が小さくなるように、当該第２加算値を設定すること
を特徴とする請求項４記載の画像形成装置。
【請求項６】
前記用紙残量検出部は、
前記用紙収納部に積層されて収納されている用紙の高さを前記残量として検出すること
を特徴とする請求項５記載の画像形成装置。
【請求項７】
前記用紙収納部に収納された用紙の大きさを示す用紙サイズを取得する用紙サイズ取得部をさらに備え、
前記温度推定部は、
さらに、前記用紙サイズ取得部によって検出される用紙の大きさが大きくなるほど前記第２加算値が小さくなるように、当該第２加算値を設定すること
を特徴とする請求項４〜６のいずれか１項に記載の画像形成装置。
【請求項８】
前記画像形成部は、
感光体ドラムを露光することにより静電潜像を形成する露光部と、
前記感光体ドラムに形成されている静電潜像をトナーを用いて現像することでトナー像を形成する現像部と、
前記現像部で形成されたトナー像を前記用紙に転写する転写部と、
前記転写部から搬送されてきた用紙を加熱して、前記トナー像を用紙に定着させる定着部と、
前記定着部を発熱させるための電力の供給量を、制御する定着電力制御部とを備え、
前記定着電力制御部は、
前記温度推定部によって推定された前記用紙の温度が高いほど、前記電力の供給量を減少させること
を特徴とする請求項１〜７のいずれか１項に記載の画像形成装置。
【発明の詳細な説明】
【技術分野】
【０００１】
本発明は、トナー像を加熱することによって用紙に定着させる画像形成装置に関する。
【背景技術】
【０００２】
従来から、トナーを用いて画像を形成する電子写真方式の画像形成装置は、トナー像を加熱することによって用紙に定着させる定着装置を備えている。そして、このような画像形成装置は、この定着装置の温度を、トナーを用紙に定着させるのに必要な温度に加熱するヒータを備えている。また、機外温度を検出するサーミスタ、機内温度を検出するサーミスタ、用紙の温度を検出するサーミスタ、及び用紙収納部の温度を検出するサーミスタの４つの温度センサを備え、これらの温度検出部のうちいずれかの検出温度に応じて定着装置の温度や冷却ファンの回転数を制御することで、冷却ファンの騒音や消費電力を低減する技術も知られている（例えば、特許文献１参照。）。
【０００３】
また、用紙が吸湿すると、紙詰まりが生じやすくなるという問題がある。そのため、用紙収納部に収納された用紙を加熱することで、用紙の吸湿を防止するようにした画像形成装置も知られている（例えば、特許文献２参照。）。
【先行技術文献】
【特許文献】
【０００４】
【特許文献１】特開２００８−９６８２４号公報
【特許文献２】特開２００６−２２７２７５号公報
【発明の概要】
【発明が解決しようとする課題】
【０００５】
ところで、特許文献１には、機外温度検出用、機内温度検出用、用紙の温度検出用、及び用紙収納部の温度検出用の４つの温度検出部を備える画像形成装置が記載されているが、このような温度検出部は高価であるから、温度検出部の数を減らしてコストを低減することが望まれる。特許文献１に記載の画像形成装置では、４つの温度検出部のうちいずれかを用いるだけなので、用紙の温度検出用の温度検出部を減らしても差し障りはないが、特許文献２に記載の画像形成装置のように用紙を加熱する構成を有する場合、用紙の温度は機内温度と異なるため、用紙の温度を検出する必要性が大きい。
【０００６】
特に用紙収納部を複数備える画像形成装置では、各用紙収納部に収納されている用紙の温度をそれぞれ検出するために、複数の温度検出部が必要となり、コストが上昇するという不都合が生じる。
【０００７】
本発明の目的は、用紙を加熱する加熱部を備え、かつ用紙の温度を検出する温度検出部を備えることなく、用紙の温度を推定することができる画像形成装置を提供することである。
【課題を解決するための手段】
【０００８】
本発明に係る画像形成装置は、用紙を収納する用紙収納部と、前記用紙収納部に収納される用紙を加熱する加熱部と、前記用紙に画像を形成する画像形成部と、前記画像形成部を収容する筐体内の温度である機内温度を検出する機内温度検出部と、前記筐体の外部の温度である機外温度を検出する機外温度検出部と、自機の電源が投入されたとき、前記機内温度検出部により検出される機内温度と前記機外温度検出部により検出される機外温度との差である内外温度差が、ゼロを判定するために予め設定された判定値に満たない場合、前記用紙収納部に収納されている用紙の温度は前記機外温度又は前記機内温度に等しいものと推定し、当該内外温度差が、前記判定値を超える場合、前記機外温度に所定の第１加算値を加算することにより、前記用紙収納部に収納されている用紙の温度を推定する温度推定部とを備える。
【０００９】
この構成によれば、自機の電源が投入されたとき、内外温度差が、ゼロを判定するために予め設定された判定値に満たず、すなわち実質的に内外温度差がゼロである場合、前回電源がオフされてから充分な時間が経過し、機外温度と機内温度とがほぼ等しくなり、画像形成装置や用紙収納部に収納されている用紙が冷めて機外温度や機内温度とほぼ等しい温度になっていると考えられる。そこで、このような場合、温度推定部は、用紙収納部に収納されている用紙の温度は機外温度又は機内温度に等しいものと推定する。また、自機の電源が投入されたとき、内外温度差が、判定値を超えるときは、画像形成装置の温度が、前回電源がオフされてからまだ充分に装置が冷め切っていないと考えられる。このような場合、用紙収納部に収納されている用紙の温度は機外温度より高いと考えられるから、温度推定部は、機外温度に第１加算値を加算することにより、用紙収納部に収納されている用紙の温度を推定する。
【００１０】
これにより、用紙を加熱する加熱部を備え、かつ用紙の温度を検出する温度検出部を備えることなく、用紙の温度を推定することができる。
【００１１】
また、前記温度推定部は、前記内外温度差が大きいほど、前記第１加算値が大きくなるように、当該第１加算値を設定することが好ましい。
【００１２】
内外温度差が大きいほど、用紙収納部に収納されている用紙は、以前加熱部により過熱された状態から冷めておらず、温度が高いと考えられるから、温度推定部は、内外温度差が大きいほど、第１加算値が大きくなるように、当該第１加算値を設定することで、用紙の温度の推定精度が向上する。
【００１３】
また、前記加熱部による前記用紙の加熱が開始された後の経過時間を計時する計時部をさらに備え、前記温度推定部は、前記計時部によって計時された経過時間が、前記加熱部により加熱された用紙の温度が定常状態になるのに必要な時間として設定された定常時間以上になったとき、前記用紙の温度を、前記初期温度に所定の第２加算値を加算することによって推定し、かつ予め前記第２加算値の上限値として設定された値を、前記第２加算値として設定することが好ましい。
【００１４】
自機の電源が投入されて加熱部により用紙の加熱が開始されると、加熱が開始されてから定常時間が経過するまでは徐々に温度が上昇し、定常時間以上になると、温度が定常になってそれ以上上昇しなくなる。そこで、温度推定部は、計時部によって計時された経過時間が定常時間以上になったとき、予め設定された第２加算値の上限値を、初期温度に加算することによって、用紙の温度を推定することができる。
【００１５】
また、前記加熱部による前記用紙の加熱が開始された後の経過時間を計時する計時部をさらに備え、前記温度推定部は、前記自機の電源が投入されたときに推定された用紙の温度を初期温度とし、現時点における前記用紙の温度を、前記初期温度に第２加算値を加算することによって推定し、かつ予め設定された定常時間に満たない範囲で前記計時部によって計時された経過時間が長くなるほど、値が大きくなるように前記第２加算値を設定することが好ましい。
【００１６】
自機の電源が投入されて加熱部により用紙の加熱が開始された後、計時部によって計時された経過時間が定常時間に満たない期間中は、徐々に用紙の温度が上昇する。そこで、温度推定部は、計時部によって計時された経過時間が、定常時間に満たない範囲内において長くなるほど、値が大きくなるように第２加算値を設定することで、用紙の温度を推定することができる。
【００１７】
また、前記用紙収納部に収納されている用紙の残量を検出する用紙残量検出部をさらに備え、前記温度推定部は、さらに、前記用紙残量検出部によって検出される残量が多いほど、前記第２加算値の値が小さくなるように、当該第２加算値を設定することが好ましい。
【００１８】
用紙収納部に収納されている用紙の残量が多いほど、用紙の熱容量が大きくなるから、加熱部により加熱された用紙の温度が上昇するのに時間がかかる。そこで、温度推定部は、用紙残量検出部によって検出される用紙の残量が多いほど、第２加算値の値が小さくなるように、当該第２加算値を設定することで、用紙の温度の推定精度を向上させることができる。
【００１９】
また、前記用紙残量検出部は、前記用紙収納部に積層されて収納されている用紙の高さを前記残量として検出することが好ましい。
【００２０】
用紙の熱容量は用紙の体積で決まるから、用紙の残量を、用紙の枚数として検出するよりも、用紙の高さとして検出した方が、用紙の厚さと無関係に熱容量との相関性が高くなる結果、用紙の温度の推定精度を向上させることができる。
【００２１】
また、前記用紙収納部に収納された用紙の大きさを示す用紙サイズを取得する用紙サイズ取得部をさらに備え、前記温度推定部は、さらに、前記用紙サイズ取得部によって検出される用紙の大きさが大きくなるほど前記第２加算値が小さくなるように、当該第２加算値を設定することが好ましい。
【００２２】
用紙の熱容量は用紙の体積で決まるから、用紙の残量が同じであっても、用紙のサイズが大きい方が、サイズが小さいときよりも、熱容量が大きくなる。そこで、温度推定部は、用紙サイズ取得部によって検出される用紙の大きさが大きくなるほど第２加算値が小さくなるように、当該第２加算値を設定することで、用紙の温度の推定精度を向上させることができる。
【００２３】
また、前記画像形成部は、感光体ドラムを露光することにより静電潜像を形成する露光部と、前記感光体ドラムに形成されている静電潜像をトナーを用いて現像することでトナー像を形成する現像部と、前記現像部で形成されたトナー像を前記用紙に転写する転写部と、前記転写部から搬送されてきた用紙を加熱して、前記トナー像を用紙に定着させる定着部と、前記定着部を発熱させるための電力の供給量を、制御する定着電力制御部とを備え、前記定着電力制御部は、前記温度推定部によって推定された前記用紙の温度が高いほど、前記電力の供給量を減少させることが好ましい。
【００２４】
感光体ドラムを露光することにより静電潜像を形成する露光部と、感光体ドラムに形成されている静電潜像をトナーを用いて現像することでトナー像を形成する現像部と、現像部で形成されたトナー像を前記用紙に転写する転写部と、転写部から搬送されてきた用紙を加熱して、トナー像を用紙に定着させる定着部とを備えた電子写真方式の画像形成装置において、定着部は、用紙の温度が高ければ、定着に要する熱量が少なくて済む。そこで、定着電力制御部は、温度推定部によって推定された用紙の温度が高いほど、定着部を発熱させるための電力の供給量を減少させることで、無駄な電力消費を低減し、消費電力を低減することが可能となる。
【発明の効果】
【００２５】
このような構成の画像形成装置は、用紙を加熱する加熱部を備え、かつ用紙の温度を検出する温度検出部を備えることなく、用紙の温度を推定することができる。
【図面の簡単な説明】
【００２６】
【図１】本発明の一実施形態に係る画像形成装置の一例である複写機の内部構成を概略的に示す構造図である。
【図２】図１に示す複写機の電気的構成の一例を示すブロック図である。
【図３】図１に示す給紙カセットを上から見た説明図である。
【図４】図２に示す温度推定部が、第２加算値を設定するために用いる加算値テーブルの一例を示す説明図である。
【図５】図１に示す複写機の動作の一例を示すフローチャートである。
【図６】図１に示す複写機の動作の一例を示すフローチャートである。
【発明を実施するための形態】
【００２７】
以下、本発明に係る実施形態を図面に基づいて説明する。なお、各図において同一の符号を付した構成は、同一の構成であることを示し、その説明を省略する。図１は、本発明の一実施形態に係る画像形成装置の一例である複写機の内部構成を概略的に示す構造図である。図２は、図１に示す複写機１の電気的構成の一例を示すブロック図である。なお、画像形成装置は、複写機に限られず、プリンタ、ファクシミリ、あるいはこれらの機能を兼ね備えた複合機等であってもよい。
【００２８】
この複写機１は、本体部２と、本体部２の左方に配設されたスタックトレイ３と、本体部２の上部に配設された原稿読取部５と、原稿読取部５の上方に配設された原稿給送部６と、本体部２の右方に配設された大容量の用紙が収納可能な給紙装置１０（用紙収納部）とを備えている。
【００２９】
本体部２は、複数の給紙カセット４６１ａ，４６１ｂ，４６１ｃ（用紙収納部）と、給紙カセット４６１ａ，４６１ｂ，４６１ｃから用紙を１枚ずつ繰り出して画像形成部４０へ搬送する給紙ローラ４６２ａ，４６２ｂ，４６２ｃと、給紙装置１０から給送されてきた用紙を画像形成部４０へ搬送する搬送路４６５と、給紙カセット４６１ａ，４６１ｂ，４６１ｃや給紙装置１０から搬出されてきた用紙に画像を形成する画像形成部４０と、装置全体の動作制御を司る制御部１００とが、筐体２１に収容されて構成されている。
【００３０】
本体部２の上部右側面には、電源スイッチ２２が設けられている。図２に示すように、複写機１は、商用交流電源電圧、例えばＡＣ１００Ｖを、所定の直流電圧に変換し、複写機１内の各部に供給する電源部２３を備えている。商用交流電源電圧は、電源スイッチ２２を介して電源部２３に供給されており、電源スイッチ２２がオフされると複写機１は動作を停止し、電源スイッチ２２がオンされ、すなわち複写機１の電源が投入されると複写機１が起動されるようになっている。
【００３１】
なお、電源スイッチ２２は、必ずしも電源部２３の一次側、すなわち商用交流電源電圧をオン、オフするものに限られず、電源部２３の二次側、すなわち電源部２３から複写機１内の各部に供給される電圧をオン、オフするものであってもよい。また、電源スイッチ２２は、例えばユーザが操作することにより、制御部１００へ電源電圧のオン、オフを指示する制御信号を出力する操作スイッチであってもよい。
【００３２】
複写機１のフロント部には、略長方形の操作パネル部４７が設けられている。操作パネル部４７は、表示部４７３と、操作キー部４７６とを備えている。表示部４７３は、例えばタッチパネル機能を有する液晶ディスプレイ等によって構成されている。操作キー部４７６は、例えばユーザが印刷実行指示を入力するためのスタートキーや、印刷部数等を入力するためのテンキー等の各種キースイッチを備えている。
【００３３】
ユーザは、操作パネル部４７を操作することによって、画像形成に用いる用紙収納部を、給紙カセット４６１ａ，４６１ｂ，４６１ｃ、及び給紙装置１０の中から選択できるようになっている。また、ユーザは、操作パネル部４７を操作することによって、給紙カセット４６１ａ，４６１ｂ，４６１ｃに収納されている用紙の用紙サイズや、厚さを示す用紙厚値を設定することができるようになっている。
【００３４】
原稿読取部５は、ＣＣＤ（Charge Coupled Device）５１２及び露光ランプ５１１等からなるスキャナ部５１と、ガラス等の透明部材により構成された原稿台５２及び原稿読取スリット５３とを備える。スキャナ部５１は、図略の駆動部によって移動可能に構成され、原稿台５２に載置された原稿を読み取るときは、原稿台５２に対向する位置で原稿面に沿って移動され、原稿画像を走査しつつ取得した画像データを制御部１００へ出力する。また、原稿給送部６により給送された原稿を読み取るときは、原稿読取スリット５３と対向する位置に移動され、原稿読取スリット５３を介して原稿給送部６による原稿の搬送動作と同期して原稿の画像を取得し、その画像データを制御部１００へ出力する。
【００３５】
原稿給送部６は、原稿を載置するための原稿載置部６１と、画像読み取り済みの原稿を排出するための原稿排出部６２と、原稿載置部６１に載置された原稿を１枚ずつ繰り出して原稿読取スリット５３に対向する位置へ搬送し、原稿排出部６２へ排出する原稿搬送機構６３とを備える。
【００３６】
画像形成部４０は、用紙搬送部４１１、光走査装置４２、感光体ドラム４３、現像部４４、転写部４１、及び定着部７を備えている。そして、給紙カセット４６１ａ，４６１ｂ，４６１ｃから定着部７を介してスタックトレイ３又は排出トレイ４８まで用紙を搬送する搬送路４６が設けられている。感光体ドラム４３、及び転写部４１は、給紙カセット４６１ａ，４６１ｂ，４６１ｃから定着部７に至る搬送路４６に沿って、配設されている。
【００３７】
用紙搬送部４１１は、搬送路４６中に設けられ、給紙ローラ４６２ａ，４６２ｂ，４６２ｃによって搬送されてきた用紙を感光体ドラム４３に供給する搬送ローラ４１２や、用紙をスタックトレイ３又は排出トレイ４８まで搬送する搬送ローラ４６３，４６４等を備えている。
【００３８】
光走査装置４２は、制御部１００から出力された画像データに基づきレーザ光等を出力して感光体ドラム４３を露光することで、感光体ドラム４３上に静電潜像を形成する。現像部４４は、感光体ドラム４３上の静電潜像をトナー現像してトナー像を形成する。転写部４１は、感光体ドラム４３上のトナー像を用紙に転写する。
【００３９】
定着部７は、トナー像が転写された用紙を加熱してトナー像を用紙に定着させる。定着部７は、熱ローラ７１と、圧ローラ７２とを備えている。
【００４０】
熱ローラ７１と、圧ローラ７２とは、転写部４１から搬送路４６によって搬送されてきた用紙をニップするように、互いに対向配置されている。そして、定着部７は、トナー像が転写された用紙を加熱してトナー像を溶融させて用紙に定着させる。なお、熱ローラ７１と圧ローラ７２とが対向配置される例に限られず、例えば熱ローラ７１と圧ローラ７２との間にベルトを介在する構成であってもよい。
【００４１】
熱ローラ７１の内部には、図略のヒータが配設されている。そして、後述する電力供給部７３から供給された電力によって、ヒータが発熱し、熱ローラ７１が加熱されるようになっている。
【００４２】
給紙装置１０は、筐体１１、積層された用紙を搭載する用紙台１２、用紙台１２を昇降駆動する図略のリフトモータ、用紙台１２に積層された用紙を繰り出して本体部２の搬送路４６５へ搬送する給紙ローラ３５１等を備える。また、用紙台１２には、用紙台１２上の用紙を加熱する防湿用の保温ヒータ１３（加熱部）が設けられている。
【００４３】
給紙カセット４６１ａ，４６１ｂ，４６１ｃの底部には、図略のモータによって昇降可能に構成された昇降板６１３ａ，６１３ｂ，６１３ｃがそれぞれ設けられている。そして、昇降板６１３ａ，６１３ｂ，６１３ｃの上に用紙束が載置されて、用紙が給紙カセット４６１ａ，４６１ｂ，４６１ｃに収納されるようになっている。また、給紙カセット４６１ａ，４６１ｂ，４６１ｃには、昇降板６１３ａ，６１３ｂ，６１３ｃの昇降位置を検出する図略の昇降位置センサが設けられている。
【００４４】
図３は、図１に示す給紙カセット４６１ａ，４６１ｂ，４６１ｃを上から見た説明図である。図３に示す給紙カセット４６１ａ，４６１ｂ，４６１ｃの前面パネルには、給紙カセット４６１ａ，４６１ｂ，４６１ｃを本体部２から引き出すための取っ手６１１が設けられている。そして、給紙カセット４６１ａ，４６１ｂ，４６１ｃの底部には、用紙を加熱する防湿用の保温ヒータ６１２ａ，６１２ｂ，６１２ｃ（加熱部）がそれぞれ配設されている。
【００４５】
保温ヒータ６１２ａ，６１２ｂ，６１２ｃ，１３は、例えば２０Ｗ〜３０Ｗ程度にされており、制御部１００からの制御信号に応じて発熱を開始するようになっている。
【００４６】
制御部１００は、例えば所定の演算処理を実行するＣＰＵ（Central Processing Unit）と、所定の制御プログラムが記憶された記憶部であるＲＯＭ（Read Only Memory）と、データを一時的に記憶する記憶部であるＲＡＭ（Random Access Memory）と、タイマ回路と、これらの周辺回路等とを備えて構成されている。図２に示すように、制御部１００には、原稿読取部５、画像形成部４０、操作パネル部４７、電力供給部７３、機外温度検出部８１、機内温度検出部８２、定着温度検出部８３、及び保温ヒータ６１２ａ，６１２ｂ，６１２ｃ，１３が接続されている。
【００４７】
機外温度検出部８１、機内温度検出部８２、及び定着温度検出部８３は、例えばサーミスタや熱電対等の感熱素子を用いて構成された温度センサである。
【００４８】
機外温度検出部８１は、例えば筐体２１に設けられた開口部から外部に露出するように配設されている。これにより、機外温度検出部８１は、筐体２１の外部の温度である機外温度ｔｅを検出するようになっている。
【００４９】
機内温度検出部８２は、筐体２１内の適所、望ましくは光走査装置４２の近傍に配設されている。これにより、機内温度検出部８２は、筐体２１内の温度である機内温度ｔｉを検出するようになっている。また、光走査装置４２は、温度変化によってその筐体が僅かでも膨張、収縮すると、レーザ光等の走査光による感光体ドラム４３の走査位置がずれてしまい、用紙に形成される画像の品質が劣化する。そこで、機内温度検出部８２を、光走査装置４２の近傍に配設して光走査装置４２の周囲温度を機内温度ｔｉとして検出し、機内温度ｔｉに応じて温度の影響をキャンセルするように、光走査装置４２による走査動作を制御することで、画質を向上させるようになっている。
【００５０】
定着温度検出部８３は、定着部７に接して、あるいは定着部７の近傍に配設されて、定着部７の温度ｔｆを検出する。
【００５１】
制御部１００は、例えばＲＯＭに記憶された制御プログラムを実行することにより、複写制御部１０１、用紙残量検出部１０２、用紙サイズ取得部１０３、用紙選択部１０４、計時部１０５、温度推定部１０６、及び定着電力制御部１０７として機能する。
【００５２】
電力供給部７３は、例えば商用電源電圧を、熱ローラ７１へ供給することで、熱ローラ７１を発熱させる。電力供給部７３は、例えば商用電源電圧等の交流電圧を開閉するスイッチング素子を用いて構成されている。そして、電力供給部７３は、定着電力制御部１０７からの制御信号に応じたデューティ比でこのような交流電圧をオン、オフすることによって、定着電力制御部１０７からの指示に応じた電力を、熱ローラ７１へ供給するようになっている。
【００５３】
なお、電力供給部７３は、定着電力制御部１０７からの制御信号に応じて、熱ローラ７１へ供給する電圧や電流を制御することで、定着電力制御部１０７からの指示に応じた電力を熱ローラ７１へ供給するようになっていてもよい。
【００５４】
複写制御部１０１は、装置内の各部の動作を制御して、原稿画像の複写を実行する。具体的には、複写制御部１０１は、原稿読取部５によって原稿から読み取られた画像データを画像形成部４０へ送信し、画像形成部４０によって、当該画像の画像形成を実行させる。また、複写制御部１０１は、電源スイッチ２２がオンされて起動されると、保温ヒータ６１２ａ，６１２ｂ，６１２ｃ，１３の発熱を開始させる。
【００５５】
保温ヒータ６１２ａ，６１２ｂ，６１２ｃ，１３は、電源スイッチ２２がオンされることにより、そのまま発熱を開始する構成としてもよい。
【００５６】
用紙残量検出部１０２は、給紙カセット４６１ａ，４６１ｂ，４６１ｃ、及び給紙装置１０に収納されている用紙の残量を検出する。具体的には、用紙残量検出部１０２は、例えば給紙装置１０に収納されている用紙の量を検出するときは、用紙が積載されている用紙台１２を、下限位置に位置させた状態からリフトモータによって一定の速度で上昇させる。
【００５７】
そして、用紙残量検出部１０２は、用紙台１２の上昇を開始してから、積載された用紙の上面が給紙ローラ３５１に接触するまでにかかる時間を計時する。そうすると、用紙の残量、すなわち用紙台１２に積載されている用紙の高さ（用紙束の厚さ）が高く（厚く）残量が多いほど計時時間が短くなり、用紙の高さが低く残量が少ないほど計時時間が長くなるから、用紙残量検出部１０２は、この計時時間から、給紙装置１０に収納されている用紙の残量を算出することができる。
【００５８】
また、用紙残量検出部１０２は、給紙カセット４６１ａ，４６１ｂ，４６１ｃに収納されている用紙の残量（高さ）については、例えば以下のようにして検出することができる。すなわち、用紙残量検出部１０２は、昇降板６１３ａ，６１３ｂ，６１３ｃを図略のリフトモータによって上昇させ、昇降板６１３ａ，６１３ｂ，６１３ｃに積載された用紙の上面が給紙ローラ４６２ａ，４６２ｂ，４６２ｃにそれぞれ接触させた状態にする。この状態で、用紙残量検出部１０２は、図略の昇降位置センサによって昇降板６１３ａ，６１３ｂ，６１３ｃの位置を検出させることで、給紙カセット４６１ａ，４６１ｂ，４６１ｃに収納されている用紙の残量（高さ）を検出することができる。
【００５９】
あるいは、用紙残量検出部１０２は、給紙カセット４６１ａ，４６１ｂ，４６１ｃ、及び給紙装置１０に収納されている用紙の枚数に、用紙の厚さを乗算して得られた値を、各用紙残量として用いてもよい。
【００６０】
なお、用紙残量検出部１０２は、いかなる方法で用紙残量を検出してもよく、その検出方法は限定されない。
【００６１】
用紙サイズ取得部１０３は、例えばユーザが操作パネル部４７を用いて行った操作指示を受け付けて、給紙装置１０や給紙カセット４６１ａ，４６１ｂ，４６１ｃに収納されている用紙の用紙サイズを取得する。
【００６２】
なお、用紙サイズ取得部は、例えば特開２００８−９６８２４号公報に記載されているように、給紙カセット４６１ａ，４６１ｂ，４６１ｃ内に用紙のサイズに合わせて移動可能に構成されたガイド板（カーソル）を設け、ガイド板の位置から、各給紙カセットに収納されている用紙のサイズを検出する等、種々の方法によって、用紙のサイズを検出することができる。
【００６３】
用紙選択部１０４は、ユーザによる操作パネル部４７の操作指示を受け付けて、当該操作指示に応じて、画像形成に用いる用紙収納部を、給紙カセット４６１ａ，４６１ｂ，４６１ｃ、及び給紙装置１０の中から選択する。
【００６４】
計時部１０５は、複写制御部１０１によって、保温ヒータ６１２ａ，６１２ｂ，６１２ｃ，１３の発熱が開始された後の経過時間Ｔｋを、それぞれ計時する。なお、保温ヒータ６１２ａ，６１２ｂ，６１２ｃ，１３が、電源スイッチ２２がオンされることによりそのまま発熱を開始する場合には、計時部１０５は、起動後の経過時間を、保温ヒータ６１２ａ，６１２ｂ，６１２ｃ，１３の発熱が開始された後の経過時間Ｔｋとして計時するようにしてもよい。
【００６５】
温度推定部１０６は、給紙カセット４６１ａ，４６１ｂ，４６１ｃ、及び給紙装置１０に収納されている用紙の温度ｔｐａ，ｔｐｂ，ｔｐｃ，ｔｐｄを、それぞれ推定する。
【００６６】
具体的には、温度推定部１０６は、電源スイッチ２２がオンされて複写機１が起動され、制御部１００が動作を開始すると、速やかに、以下の初期温度推定処理を実行する。すなわち、初期温度推定処理として、温度推定部１０６は、機内温度検出部８２により検出された機内温度ｔｉと、機外温度検出部８１により検出された機外温度ｔｅとの差である内外温度差ｔｉｅを、下記の式（１）を用いて算出する。
【００６７】
内外温度差ｔｉｅ＝ｔｉ−ｔｅ  ・・・（１）
そして、温度推定部１０６は、内外温度差ｔｉｅが、ゼロを判定するために予め設定された判定値ｔｚに満たない場合、給紙装置１０、及び給紙カセット４６１ａ，４６１ｂ，４６１ｃに収納されている用紙の、電源オン時の温度である初期温度ｔｓａ，ｔｓｂ，ｔｓｃ，ｔｓｄは機外温度ｔｅに等しいものと推定する。なお、内外温度差ｔｉｅが判定値ｔｚに満たないということは、機外温度ｔｅと機内温度ｔｉとがほぼ等しいことを意味するから、機外温度ｔｅの代わりに機内温度ｔｉを用いてもむろんよい。
【００６８】
また、温度推定部１０６は、内外温度差ｔｉｅが判定値ｔｚを超える場合、機外温度ｔｅに所定の第１加算値Ａを加算することにより、初期温度ｔｓを推定する。
【００６９】
判定値ｔｚとしては、例えば機外温度検出部８１や機内温度検出部８２の温度測定誤差に、ある程度のマージンを加えた値が用いられる。これにより、内外温度差ｔｉｅが判定値ｔｚに満たなければ、筐体２１の内外の温度差である内外温度差ｔｉｅは、実質的に０℃であると判定できる。
【００７０】
そして、内外温度差ｔｉｅが実質的に０℃であれば、前回複写機１が使用されて、画像形成部４０や定着部７の発熱によって機内温度ｔｉが上昇し、保温ヒータ６１２ａ，６１２ｂ，６１２ｃ，１３の発熱によって用紙の温度ｔｐａ，ｔｐｂ，ｔｐｃ，ｔｐｄが上昇した後、電源がオフされて機内温度ｔｉや用紙の温度ｔｐａ，ｔｐｂ，ｔｐｃ，ｔｐｄが機外温度ｔｅと等しくなるのに充分な時間が経過していることを意味する。
【００７１】
従って、温度推定部１０６は、内外温度差ｔｉｅが判定値ｔｚに満たない場合、給紙装置１０、及び給紙カセット４６１ａ，４６１ｂ，４６１ｃに収納されている用紙の初期温度ｔｓａ，ｔｓｂ，ｔｓｃ，ｔｓｄは、機外温度ｔｅと等しいものと推定することで、用紙の初期温度ｔｓａ，ｔｓｂ，ｔｓｃ，ｔｓｄを推定することができる。
【００７２】
また、内外温度差ｔｉｅが判定値ｔｚを超える場合は、前回電源オフされた後、まだ複写機１が充分に冷えるのに必要な時間が経過していないこととなる。そうすると、用紙の温度もまだ機外温度ｔｅより高い状態にあると考えられるので、温度推定部１０６は、内外温度差ｔｉｅが判定値ｔｚを超える場合、機外温度ｔｅに所定の第１加算値Ａを加算することにより、初期温度ｔｓａ，ｔｓｂ，ｔｓｃ，ｔｓｄを推定することができる。
【００７３】
この場合、内外温度差ｔｉｅが大きいほど、用紙の温度は高いと考えられるから、第１加算値Ａは、内外温度差ｔｉｅが大きいほど、大きな値に設定される。第１加算値Ａは、運転されて充分に暖まった複写機１を電源オフした後の内外温度差ｔｉｅと用紙の温度との関係を、例えば実験的に測定し、内外温度差ｔｉｅと第１加算値Ａとを対応付けるＬＵＴ（Look Up Table）として例えばＲＯＭに記憶させておく。そして、温度推定部１０６は、このＬＵＴを参照することによって、内外温度差ｔｉｅと対応付けられた第１加算値Ａを設定するようにしてもよい。
【００７４】
この場合、給紙カセット４６１ａ，４６１ｂ，４６１ｃ、及び給紙装置１０に対応する第１加算値Ａが、それぞれ設定されるようにしてもよい。
【００７５】
また、電源スイッチ２２がオンされて電源が投入され、保温ヒータ６１２ａ，６１２ｂ，６１２ｃ，１３による用紙の加熱が開始されると、用紙の温度ｔｐが徐々に上昇する。そうすると、温度ｔｐが定常状態に達するまでの期間については、用紙の加熱が開始された後の経過時間、すなわち計時部１０５によって計時された経過時間Ｔｋが長くなるほど用紙の温度ｔｐａ，ｔｐｂ，ｔｐｃ，ｔｐｄが上昇することになる。
【００７６】
そこで、温度ｔｐが定常状態に達するまでの時間を定常時間Ｔｕとして予め設定しておき、計時部１０５によって計時された経過時間Ｔｋが定常時間Ｔｕに達するまでの期間について、温度推定部１０６は、経過時間Ｔｋが長くなるほど値が大きくなるように、第２加算値Ｂを設定する。そして、温度推定部１０６は、初期温度ｔｓａ，ｔｓｂ，ｔｓｃ，ｔｓｄに、第２加算値Ｂをそれぞれ加算することによって、温度ｔｐａ，ｔｐｂ，ｔｐｃ，ｔｐｄを算出、推定する。
【００７７】
ところで、給紙カセット４６１ａ，４６１ｂ，４６１ｃ、及び給紙装置１０に収納されている用紙の温度ｔｐａ，ｔｐｂ，ｔｐｃ，ｔｐｄは、その用紙の残量が多く、熱容量が大きいほど、温度が上昇しにくくなる。
【００７８】
そこで、温度推定部１０６は、用紙の熱容量を考慮して、用紙残量検出部１０２によって検出される残量が多いほど、第２加算値Ｂの値が小さくなるように、第２加算値Ｂを設定する。
【００７９】
また、用紙の熱容量は、用紙の残量が同じでも、サイズが大きければ増大する。そこで、温度推定部１０６は、用紙サイズ取得部１０３によって検出される用紙の大きさが大きくなるほど第２加算値Ｂが小さくなるように、第２加算値Ｂを設定する。
【００８０】
図４は、図２に示す温度推定部１０６が、給紙カセット４６１ａ，４６１ｂ，４６１ｃ、及び給紙装置１０に対応する第２加算値Ｂａ，Ｂｂ，Ｂｃ，Ｂｄを設定するために用いる加算値テーブルの一例を示す説明図である。図４に示す加算値テーブルは、用紙残量、用紙サイズ、及び経過時間Ｔｋの各パラメータと、給紙カセット４６１ａに収納された用紙の第２加算値Ｂａであるａ００〜ａ１５、給紙カセット４６１ｂに収納された用紙の第２加算値Ｂｂであるｂ００〜ｂ１５、給紙カセット４６１ｃに収納された用紙の第２加算値Ｂｃ温度ｔｐｃであるｃ００〜ｃ１５、及び給紙装置１０に収納された用紙の第２加算値Ｂｄであるｄ００〜ｄ１５とを対応付けている。このような、ＬＵＴ（Look Up Table）である加算値テーブルが、例えばＲＯＭに予め記憶されている。
【００８１】
図４に示す加算値テーブルでは、用紙残量が、多量の場合と少量の場合とに、それぞれ第２加算値Ｂａ，Ｂｂ，Ｂｃ，Ｂｄが対応付けられている。多量とは、予め設定された設定残量以上の場合であり、少量とは、用紙残量が設定残量に満たない場合である。
【００８２】
図４では、説明を簡単にするため、用紙残量について、多量と少量との、大きく２つの場合に分ける例を示したが、３つ以上の場合に分けて、細かく第２加算値Ｂａ，Ｂｂ，Ｂｃ，Ｂｄを設定するようにしてもむろんよい。
【００８３】
用紙残量については、用紙残量以外の条件が同じ場合の第２加算値Ｂａ，Ｂｂ，Ｂｃ，Ｂｄは、少量の場合よりも多量の場合の方が、値が小さくなるように設定されている。例えば、用紙残量以外の条件が同じ、ａ０１とａ０９とではａ０１＜ａ０９となり、ｂ０６とｂ１４とではｂ０６＜ｂ１４となるように、ａ００〜ａ１５，ｂ００〜ｂ１５，ｃ００〜ｃ１５，及びｄ００〜ｄ１５の値が設定されている。
【００８４】
また、図４に示す加算値テーブルでは、用紙サイズが、Ａ３（大きい）場合とＡ４（小さい）場合とに、それぞれ第２加算値Ｂａ，Ｂｂ，Ｂｃ，Ｂｄが対応付けられている。図４では、説明を簡単にするため、用紙サイズについて、Ａ３とＡ４との、大きく２つの場合に分ける例を示したが、３つ以上の場合に分けて、細かく第２加算値Ｂａ，Ｂｂ，Ｂｃ，Ｂｄを設定するようにしてもむろんよい。
【００８５】
用紙サイズについても、用紙サイズ以外の条件が同じ場合の第２加算値Ｂａ，Ｂｂ，Ｂｃ，Ｂｄは、Ａ４（小さい）場合よりもＡ３（大きい）場合の方が、値が小さくなるように設定されている。例えば、用紙サイズ以外の条件が同じ、ｃ００とｃ０４とではｃ００＜ｃ０４となり、ｄ０２とｄ０６とではｄ０２＜ｄ０６となるように、ａ００〜ａ１５，ｂ００〜ｂ１５，ｃ００〜ｃ１５，及びｄ００〜ｄ１５の値が設定されている。
【００８６】
さらに、図４に示す加算値テーブルでは、経過時間Ｔｋが、Ｔ０，Ｔ１，Ｔ２，Ｔ３の各場合に、それぞれ第２加算値Ｂａ，Ｂｂ，Ｂｃ，Ｂｄが対応付けられている。ここで、Ｔ０＜Ｔ１＜Ｔ２＜Ｔ３である。また、図４では、説明を簡単にするため、経過時間Ｔｋとして、Ｔ０，Ｔ１，Ｔ２，Ｔ３の４つを用いる例を示したが、５つ以上の経過時間Ｔｋを用いて、細かく第２加算値Ｂａ，Ｂｂ，Ｂｃ，Ｂｄを設定するようにしてもむろんよい。
【００８７】
経過時間Ｔｋについては、経過時間Ｔｋ以外の条件が同じ場合の第２加算値Ｂａ，Ｂｂ，Ｂｃ，Ｂｄは、経過時間Ｔｋが短い場合よりも経過時間Ｔｋが長い場合の方が、値が大きくなるように設定されている。例えば、経過時間Ｔｋ以外の条件が同じ、ａ００とａ０３とではａ００＜ａ０３となり、ｄ０２とｄ０３とではｄ０２＜ｄ０３となるように、ａ００〜ａ１５，ｂ００〜ｂ１５，ｃ００〜ｃ１５，及びｄ００〜ｄ１５の値が設定されている。
【００８８】
温度推定部１０６は、例えば図４に示す加算値テーブルを参照し、計時部１０５、用紙残量検出部１０２、及び用紙サイズ取得部１０３によって取得された経過時間Ｔｋ、用紙残量、及び用紙サイズと対応付けられている第２加算値Ｂａ，Ｂｂ，Ｂｃ，Ｂｄを取得する。
【００８９】
定着電力制御部１０７は、定着温度検出部８３によって検出された定着部７の温度ｔｆが、所定の目標温度ｔｘになるように、電力供給部７３による電力供給量を制御してフィードバック制御を行う。
【００９０】
また、定着電力制御部１０７は、用紙選択部１０４によって選択された用紙収納部について、温度推定部１０６によって推定された用紙の温度が高いほど、目標温度ｔｘを低下させることによって電力供給部７３による電力供給量を減少させる。
【００９１】
次に、上述のように構成された複写機１の動作について説明する。図５、図６は、図１に示す複写機１の動作の一例を示すフローチャートである。まず、電源スイッチ２２がオンされて、電源が投入されると（ステップＳ１）、複写制御部１０１によって保温ヒータ６１２ａ，６１２ｂ，６１２ｃ，１３がオンされる（ステップＳ２）。そうすると、保温ヒータ６１２ａ，６１２ｂ，６１２ｃ，１３によって、給紙カセット４６１ａ，４６１ｂ，４６１ｃ、及び給紙装置１０に収納されている用紙の加熱が開始される。
【００９２】
次に、計時部１０５によって、用紙の加熱が開始されてからの経過時間Ｔｋの計時が開始される（ステップＳ３）。そして、機外温度検出部８１によって機外温度ｔｅが検出され、機内温度検出部８２によって機内温度ｔｉが検出され（ステップＳ４）、温度推定部１０６によって、機内温度ｔｉから機外温度ｔｅが減算されて、内外温度差ｔｉｅが算出される（ステップＳ５）。
【００９３】
次に、温度推定部１０６によって、内外温度差ｔｉｅと判定値ｔｚとが比較される（ステップＳ６）。そして、内外温度差ｔｉｅが判定値ｔｚに満たなければ（ステップＳ６でＹＥＳ）、温度推定部１０６によって初期温度ｔｓａ，ｔｓｂ，ｔｓｃ，ｔｓｄは、機外温度ｔａ等しいものと推定されて（ステップＳ７）、ステップＳ１０へ移行する。一方、内外温度差ｔｉｅが判定値ｔｚ以上であれば（ステップＳ６でＮＯ）、温度推定部１０６によって、内外温度差ｔｉｅに応じて第１加算値Ａが設定され（ステップＳ８）、機外温度ｔａに第１加算値Ａが加算されて初期温度ｔｓａ，ｔｓｂ，ｔｓｃ，ｔｓｄが推定され（ステップＳ９）、ステップＳ１０へ移行する。
【００９４】
後述するステップＳ１１，Ｓ１４において温度ｔｐａ，ｔｐｂ，ｔｐｃ，ｔｐｄが推定されるまでは、初期温度ｔｓａ，ｔｓｂ，ｔｓｃ，ｔｓｄが温度ｔｐａ，ｔｐｂ，ｔｐｃ，ｔｐｄとして用いられる。
【００９５】
以上、ステップＳ１〜Ｓ９の処理により、給紙カセット４６１ａ，４６１ｂ，４６１ｃ、及び給紙装置１０に、用紙の温度を検出する温度センサを備えることなく、電源投入された直後の給紙カセット４６１ａ，４６１ｂ，４６１ｃ、及び給紙装置１０内の用紙の温度である初期温度ｔｓａ，ｔｓｂ，ｔｓｃ，ｔｓｄを推定することができる。
【００９６】
次に、ステップＳ１０において、温度推定部１０６によって、計時部１０５により計時された経過時間Ｔｋと、定常時間Ｔｕとが比較される（ステップＳ１０）。そして、経過時間Ｔｋが定常時間Ｔｕ以上であれば（ステップＳ１０でＮＯ）、給紙カセット４６１ａ，４６１ｂ，４６１ｃ、及び給紙装置１０内の用紙の温度はすでに定常状態に達していると考えられるから、保温ヒータ６１２ａ，６１２ｂ，６１２ｃ，１３で給紙カセット４６１ａ，４６１ｂ，４６１ｃ、及び給紙装置１０内の用紙を加熱した場合に定常に達したときの機外温度ｔｅからの温度上昇値として予め設定された上限値Ｔｌｍａ，Ｔｌｍｂ，Ｔｌｍｃ，Ｔｌｍｄが、第２加算値Ｂａ，Ｂｂ，Ｂｃ，Ｂｄとして設定され（ステップＳ１１）、ステップＳ１４へ移行する。
【００９７】
一方、経過時間Ｔｋが定常時間Ｔｕに満たなければ（ステップＳ１０でＹＥＳ）、給紙カセット４６１ａ，４６１ｂ，４６１ｃ、及び給紙装置１０の各用紙収納部に収納されている用紙残量と用紙サイズとが、用紙残量検出部１０２及び用紙サイズ取得部１０３によって、それぞれ取得される（ステップＳ１２）。
【００９８】
そして、温度推定部１０６によって、例えば図４に示す加算値テーブルが参照されて、用紙収納部に収納されている用紙残量及び用紙サイズと、計時部１０５で計時された経過時間Ｔｋとに対応する第２加算値Ｂａ，Ｂｂ，Ｂｃ，Ｂｄが取得され（ステップＳ１３）、この第２加算値Ｂａ，Ｂｂ，Ｂｃ，Ｂｄが初期温度ｔｓａ，ｔｓｂ，ｔｓｃ，ｔｓｄにそれぞれ加算されて、用紙の温度ｔｐａ，ｔｐｂ，ｔｐｃ，ｔｐｄが算出され（ステップＳ１４）、再びステップＳ１０〜Ｓ１４を繰り返す。
【００９９】
以上、ステップＳ１〜Ｓ１４の処理により、給紙カセット４６１ａ，４６１ｂ，４６１ｃ、及び給紙装置１０に、用紙の温度を検出する温度センサを備えることなく、給紙カセット４６１ａ，４６１ｂ，４６１ｃ、及び給紙装置１０内に収納されている用紙の温度ｔｐａ，ｔｐｂ，ｔｐｃ，ｔｐｄを推定することができる。そして、ステップＳ１〜Ｓ１４の処理により、温度ｔｐａ，ｔｐｂ，ｔｐｃ，ｔｐｄの推定値が常時更新されている。
【０１００】
次に、図６を参照して、温度ｔｐａ，ｔｐｂ，ｔｐｃ，ｔｐｄに基づく定着部７の温度制御について、説明する。図６に示す温度制御は、図５に示すステップＳ１〜Ｓ１４と並行して実行されており、ステップＳ１〜Ｓ１４で得られた最新の温度ｔｐａ，ｔｐｂ，ｔｐｃ，ｔｐｄに基づいて、電力供給部７３の供給電力が制御されるようになっている。
【０１０１】
まず、用紙選択部１０４によって、給紙カセット４６１ａ，４６１ｂ，４６１ｃ、及び給紙装置１０のうち一つが選択される（ステップＳ２１）。
【０１０２】
次に、ステップＳ１〜Ｓ１４で得られた最新の温度ｔｐａ，ｔｐｂ，ｔｐｃ，ｔｐｄのうち、用紙選択部１０４によって選択された用紙収納部に収納されている用紙の温度に基づき、定着電力制御部１０７によって、目標温度ｔｘが設定される（ステップＳ２２）。
【０１０３】
そして、定着電力制御部１０７によって、定着部７の温度を目標温度ｔｘにするように、電力供給部７３から定着部７への供給電力が制御される（ステップＳ２３）。
【０１０４】
以上、ステップＳ２１〜Ｓ２３の処理により、用紙選択部１０４によって選択された用紙収納部に収納されている用紙の、温度が高いほど目標温度ｔｘが低下されて電力供給部７３による電力供給量が減少され、温度が低いほど目標温度ｔｘが上昇されて電力供給部７３による電力供給量が増大される。
【０１０５】
ここで、定着部７は、用紙の温度が高いほど、定着に要する熱量が少なくて済むから、用紙の温度が高いほど目標温度ｔｘを低下させて電力供給部７３による電力供給量を減少させることで、無駄な電力消費を低減できる結果、消費電力を低減することが可能となる。
【０１０６】
なお、温度推定部１０６は、経過時間Ｔｋ、用紙残量、及び用紙サイズに基づいて、用紙の温度ｔｐａ，ｔｐｂ，ｔｐｃ，ｔｐｄを推定する例を示したが、経過時間Ｔｋのみに基づいて、用紙の温度ｔｐａ，ｔｐｂ，ｔｐｃ，ｔｐｄを推定するようにしてもよい。
【０１０７】
また、温度推定部１０６は、経過時間Ｔｋの他、用紙残量及び用紙サイズを両方用いる必要はなく、用紙残量及び用紙サイズのうちいずれかを用いる構成であってもよい。
【符号の説明】
【０１０８】
１  複写機
２  本体部
３  スタックトレイ
５  原稿読取部
６  原稿給送部
７  定着部
１０  給紙装置
１１，２１  筐体
１２  用紙台
１３，６１２，６１２ａ，６１２ｂ，６１２ｃ，  保温ヒータ
２２  電源スイッチ
２３  電源部
４０  画像形成部
４１  転写部
４２  光走査装置
４３  感光体ドラム
４４  現像部
４６  搬送路
４７  操作パネル部
４８  排出トレイ
７１  熱ローラ
７２  圧ローラ
７３  電力供給部
８１  機外温度検出部
８２  機内温度検出部
８３  定着温度検出部
１００  制御部
１０１  複写制御部
１０２  用紙残量検出部
１０３  用紙サイズ取得部
１０４  用紙選択部
１０５  計時部
１０６  温度推定部
１０７  定着電力制御部
３５１  給紙ローラ
４１１  用紙搬送部
４１２  搬送ローラ
４６１ａ，４６１ｂ，４６１ｃ  給紙カセット
４７３  表示部
４７６  操作キー部
６１３ａ，６１３ｂ，６１３ｃ  昇降板
Ａ  第１加算値
Ｂ，Ｂａ，Ｂｂ，Ｂｃ，Ｂｄ  第２加算値
Ｔｋ  経過時間
Ｔｕ  上限値
ｔａ  機外温度
ｔｅ  機外温度
ｔｉ  機内温度
ｔｉｅ  内外温度差
ｔｓ，ｔｓａ，ｔｓｂ，ｔｓｃ，ｔｓｄ  初期温度
ｔｘ  目標温度
ｔｚ  判定値
【図１】
2011232616.tif 000003
【図２】
2011232616.tif 000004
【図３】
2011232616.tif 000005
【図４】
2011232616.tif 000006
【図５】
2011232616.tif 000007
【図６】
2011232616.tif 000008